【手続補正書】
【提出日】平成17年7月22日(2005.7.22)
【手続補正１】
【補正対象書類名】明細書
【補正対象項目名】特許請求の範囲
【補正方法】変更
【補正の内容】
【特許請求の範囲】
【請求項１】
充放電する容量の端子間電圧を三角波発振信号として出力する発振回路であって、
前記容量への充電電流を生成する第１の定電流回路と、
前記容量の放電電流を生成する第２の定電流回路と、
前記容量と第２の定電流回路との間に接続されるとともに制御信号に基づいてオンオフ制御され、前記容量と第２の定電流回路とを導通又は非導通状態のいずれかに切り替えて前記容量の充放電動作を切り替えるトランジスタを備えた切替回路と、
前記容量の端子間電圧に基づいて生成した前記制御信号を出力し、前記切替回路の切替タイミングを制御する制御回路と
を備えたことを特徴とする発振回路。
【請求項２】
請求項１に記載の発振回路において、
前記切替回路は、
前記容量と第２の定電流回路との間に接続されるとともに、前記制御回路からの第１の制御信号に基づいてオンオフ制御され、前記容量と第２の定電流回路とを導通又は非導通状態のいずれかに切り替える第１のトランジスタと、
前記第１の制御信号と相補な第２の制御信号に基づいてオンオフ制御され、前記第２の定電流回路を活性化する第２のトランジスタと
を備えたことを特徴とする発振回路。
【請求項３】
充放電する容量の端子間電圧を三角波発振信号として出力する発振回路であって、
前記容量への充電電流を生成する第１の定電流回路と、
前記容量の放電電流を生成する第２の定電流回路と、
前記第２の定電流回路に接続されるとともに制御信号に基づいてオンオフ制御され、前記放電電流の電流量を、前記充電電流よりも多い第１の電流量と、前記充電電流よりも少ない第２の電流量とに切り替えるトランジスタを備えた切替回路と、
前記容量の端子間電圧に基づいて前記制御信号を生成し、前記切替回路の切替タイミングを制御する制御回路と
を備えたことを特徴とする発振回路。
【請求項４】
請求項３に記載の発振回路において、
前記第１の定電流回路は、前記充電電流を生成する第１のトランジスタと、前記第２の定電流回路に供給する第１，第２の制御電流を生成する第２，第３のトランジスタを備えるものであり、
前記切替回路の前記トランジスタは、前記制御信号に基づいて前記第２の制御電流の供給を制御し、
前記第２の定電流回路は、供給を受ける前記第１の制御電流に基づいて前記第２の電流量を持つ放電電流を生成し、供給を受ける前記第１の制御電流と第２の制御電流の合成電流に基づいて前記第１の電流量を持つ放電電流を生成することを特徴とする発振回路。
【請求項５】
請求項４に記載の発振回路において、
前記切替回路は、
前記制御回路からの第１の制御信号に基づいてオンオフ制御され、そのオン時に前記第２の制御電流を前記第２の定電流回路に供給する第１のトランジスタと、
前記第１の制御信号と相補な第２の制御信号に基づいてオンオフ制御され、そのオン時に前記第２の制御電流を放出する第２のトランジスタと
を備えたことを特徴とする発振回路。
【手続補正２】
【補正対象書類名】明細書
【補正対象項目名】００２１
【補正方法】変更
【補正の内容】
【００２１】
【課題を解決するための手段】
請求項１に記載の発明は、充放電する容量の端子間電圧を三角波発振信号として出力する発振回路であって、前記容量への充電電流を生成する第１の定電流回路と、前記容量の放電電流を生成する第２の定電流回路と、前記容量と第２の定電流回路との間に接続されるとともに制御信号に基づいてオンオフ制御され、前記容量と第２の定電流回路とを導通又は非導通状態のいずれかに切り替えて前記容量の充放電動作を切り替えるトランジスタを備えた切替回路と、前記容量の端子間電圧に基づいて生成した前記制御信号を出力し、前記切替回路の切替タイミングを制御する制御回路とを備えた。
【手続補正３】
【補正対象書類名】明細書
【補正対象項目名】００２２
【補正方法】削除
【補正の内容】
【手続補正４】
【補正対象書類名】明細書
【補正対象項目名】００２３
【補正方法】変更
【補正の内容】
【００２３】
請求項２に記載の発明は、請求項１に記載の発振回路において、前記切替回路は、前記容量と第２の定電流回路との間に接続されるとともに、前記制御回路からの第１の制御信号に基づいてオンオフ制御され、前記容量と第２の定電流回路とを導通又は非導通状態のいずれかに切り替える第１のトランジスタと、前記第１の制御信号と相補な第２の制御信号に基づいてオンオフ制御され、前記第２の定電流回路を活性化する第２のトランジスタとを備えた。
【手続補正５】
【補正対象書類名】明細書
【補正対象項目名】００２４
【補正方法】変更
【補正の内容】
【００２４】
請求項３に記載の発明は、充放電する容量の端子間電圧を三角波発振信号として出力する発振回路であって、前記容量への充電電流を生成する第１の定電流回路と、前記容量の放電電流を生成する第２の定電流回路と、前記第２の定電流回路に接続されるとともに制御信号に基づいてオンオフ制御され、前記放電電流の電流量を、前記充電電流よりも多い第１の電流量と、前記充電電流よりも少ない第２の電流量とに切り替えるトランジスタを備えた切替回路と、前記容量の端子間電圧に基づいて前記制御信号を生成し、前記切替回路の切替タイミングを制御する制御回路とを備えた。
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】変更
【補正の内容】
【００２６】
請求項４に記載の発明は、請求項３に記載の発振回路において、前記第１の定電流回路は、前記充電電流を生成する第１のトランジスタと、前記第２の定電流回路に供給する第１，第２の制御電流を生成する第２，第３のトランジスタを備えるものであり、前記切替回路の前記トランジスタは、前記制御信号に基づいて前記第２の制御電流の供給を制御し、前記第２の定電流回路は、供給を受ける前記第１の制御電流に基づいて前記第２の電流量を持つ放電電流を生成し、供給を受ける前記第１の制御電流と第２の制御電流の合成電流に基づいて前記第１の電流量を持つ放電電流を生成する。
【手続補正８】
【補正対象書類名】明細書
【補正対象項目名】００２７
【補正方法】変更
【補正の内容】
【００２７】
請求項５に記載の発明は、請求項４に記載の発振回路において、前記切替回路は、前記制御回路からの第１の制御信号に基づいてオンオフ制御され、そのオン時に前記第２の制御電流を前記第２の定電流回路に供給する第１のトランジスタと、前記第１の制御信号と相補な第２の制御信号に基づいてオンオフ制御され、そのオン時に前記第２の制御電流を放出する第２のトランジスタとを備えた。
【手続補正９】
【補正対象書類名】明細書
【補正対象項目名】００２８
【補正方法】変更
【補正の内容】
【００２８】
（作用）
従って、請求項１に記載の発明によれば、第１の定電流回路は容量への充電電流を生成し、第２の定電流回路は容量の放電電流を生成する。切替回路に備えられるトランジスタは、容量と第２の定電流回路との間に接続されるとともに制御信号に基づいてオンオフ制御され、容量と第２の定電流回路とを導通又は非導通状態のいずれかに切り替えて容量の充放電動作を切り替える。制御回路は、容量の端子間電圧に基づいて生成した制御信号を出力し、切替回路の切替タイミングを制御する。従って、第２の定電流回路を常に活性状態として容量の充放電動作を切り替えることができるので、切替回路の切替動作による動作遅れは小さい。
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】変更
【補正の内容】
【００３０】
請求項２に記載の発明によれば、第１のトランジスタは、容量と第２の定電流回路との間に接続されるとともに、制御回路からの第１の制御信号に基づいてオンオフ制御され、容量と第２の定電流回路とを導通又は非導通状態のいずれかに切り替える。第２のトランジスタは、第１の制御信号と相補な第２の制御信号に基づいてオンオフ制御され、第２の定電流回路を活性化する。従って、第１のトランジスタのオンオフ動作に基づいて容量の充放電動作が切り替えられるとともに、第１及び第２のトランジスタのオンオフ動作に基づいて第２の定電流回路が常に活性状態に維持される。
【手続補正１２】
【補正対象書類名】明細書
【補正対象項目名】００３１
【補正方法】変更
【補正の内容】
【００３１】
請求項３に記載の発明によれば、第１の定電流回路は容量への充電電流を生成し、第２の定電流回路は容量の放電電流を生成する。切替回路に備えられるトランジスタは、第２の定電流回路に接続されるとともに制御信号に基づいてオンオフ制御され、放電電流の電流量を、充電電流よりも多い第１の電流量と、充電電流よりも少ない第２の電流量とに切り替える。制御回路は、容量の端子間電圧に基づいて制御信号を生成し、切替回路の切替タイミングを制御する。従って、第２の定電流回路を常に活性状態として容量の充放電動作を切り替えることができるので、切替回路の切替動作による動作遅れは小さい。
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】変更
【補正の内容】
【００３３】
請求項４に記載の発明によれば、第１の定電流回路には、充電電流を生成する第１のトランジスタと、第２の定電流回路に供給する第１，第２の制御電流を生成する第２，第３のトランジスタが備えられる。切替回路のトランジスタは、制御信号に基づいて第２の制御電流の供給を制御する。第２の定電流回路は、供給を受ける第１の制御電流に基づいて第２の電流量を持つ放電電流を生成し、供給を受ける第１の制御電流と第２の制御電流の合成電流に基づいて第１の電流量を持つ放電電流を生成する。従って、第２の定電流回路は、第１，第２の制御電流に基づいて放電電流の電流量を第１，第２の電流量に切り替え容量の充放電動作を切り替えるとともに、常に供給される第１の制御電流に基づいて常に活性状態に維持される。
【手続補正１５】
【補正対象書類名】明細書
【補正対象項目名】００３４
【補正方法】変更
【補正の内容】
【００３４】
請求項５に記載の発明によれば、切替回路の第１のトランジスタは、制御回路からの第１の制御信号に基づいてオンオフ制御され、そのオン時に第２の制御電流を第２の定電流回路に供給する。切替回路の第２のトランジスタは、第１の制御信号と相補な第２の制御信号に基づいてオンオフ制御され、そのオン時に第２の制御電流を放出する。従って、切替回路の第１のトランジスタのオンオフ動作に基づいて容量の充放電動作が切り替えられるとともに、切替回路の第１及び第２のトランジスタのオンオフ動作に基づいて第２の制御電流を生成する第１の定電流回路の第３のトランジスタが常に駆動される。そのため、第３のトランジスタの寄生容量による影響が低減される。